Podtech/llm-jp-corpus-v4-ja_patent huggingface dataset:
(57)【要約】【課題】    犬の散歩中に、木立や電柱にも犬を一時繋いでおける、簡素で丈夫なリードを提供する。【解決手段】リード本体には合成繊維製丸型編み紐を用い、持ち手側末端近くに貫通孔を設け、紐を抱えられる大きさの螺旋形の金具を挿入する。金具の巻回数は１と１／４程度、螺旋階差幅はリードの直径に同じくする。これで９０°捻じって着脱し持ち手に輪を造ったり開いたり出来る、簡素で丈夫なリードが得られる。【選択図】図１
0003160735.tif 000002
【実用新案登録請求の範囲】
【請求項１】
犬の散歩用リードの持ち手輪環を開閉の出来る構造にし立木や電柱にも繋げる様にする旨の考案は既知である。本案件は、リード本体に貫通孔を設け螺旋形の金具を挿入する事で、既存のものより簡素且つ強固なリードを提供する旨の、ペット用品の形状に関する考案を、その範囲にて実用新案として登録せられる事を請求するものである。
【考案の詳細な説明】
【技術分野】
【０００１】  本案件は、犬の散歩用のリードの持ち手の形状に関するものでありペット用品の分野に属する。
【考案の概要】
【考案が解決しようとする課題】
【０００２】  犬の散歩中に、一時何処かに犬を繋いでおきたいと思う事はよくある。リードの持ち手輪環を開閉の出来る構造にし、木立や電柱にも繋げる様にしたリードは既知であるが、重煩感を覚えるもの、強度に不安の有るものばかりである。より軽量で簡素且つ十分な強度を有する、何処にでも繋げる犬の散歩用リードを提供する事が本考案の課題である。
【課題を解決するための手段】
【０００３】  リード本体には合成繊維製の丸型編み紐を使用し、持ち手側末端より３〜４ｃｍの位置に千枚通し等により貫通孔を設け、リード本体の直径を抱え込める大きさの螺旋形の金具を挿入する。螺旋形金具の巻回数は１と１／４程度にし、螺旋階差幅をリード本体の直径に合わせる。リード持ち手側末端は解けを防ぐ為に焼固処理ないしバンデージ処理を施した上、２．５〜３．５ｃｍの合成樹脂製ないし合成皮革製のキャップで被覆する。
以上により９０°捻じる事により持ち手輪環が開閉する、簡素で強固な構造のリードが得られる。
【図面の簡単な説明】
【０００４】
【図１】リード持ち手を開いた時の図と閉じた時の図。
【図２】螺旋形金具単体を３方向から見た図。
【図３】リード持ち手側末端の焼固処理後の図とバンデージ処理後の図。
【考案を実施するための形態】
【０００５】  リード本体の貫通孔はやや斜めに開けた方が螺旋形金具のすわり角度が良い。
螺旋形金具のリード本体への挿入作業のしやすさを考えると金具腕端よりリード本体の直径＋α相当の区間には湾曲を与えない方が良い。リード持ち手側末端を焼固処理にした場合、キャップを合成樹脂製ねじ込み式にする事で面倒な縫製作業を省く事が出来る。
ユーザーにとっては縫製糸の破損切断は修復困難なので、ねじ式キャップの方がむしろ歓迎される様にも思われる。バンデージ処理にした場合はリード直径が僅かに細くなる為ねじキャップ被覆は不可となる。試作品を使ってみた限りでは、犬の引っ張りによるリード持ち手輪環の狭窄は、リード本体とキャップの鰓との摩擦により起きない。
本考案は持ち手側に関するもので犬側に関しては不拘であるが、「リードの寿命＝犬に繋ぐ金具の寿命」がユーザー感覚であり、持ち手側はより長命であって欲しい。
【図１】
0003160735.tif 000003
【図２】
0003160735.tif 000004
【図３】
0003160735.tif 000005
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
本体が合成繊維製の丸型編み紐から成り、持ち手側末端から３〜４ｃｍの位置に設けられた貫通孔に、巻回数が１と１／４程度の螺旋形の金具を挿入付設さるに因り、持ち手側に輪を造ったり開いたりの出来たる事を特徴とする犬の散歩用リード。
(57)【要約】      （修正有）【課題】マップ上での現在位置と進行方向を瞬時に把握させてくれる安価で手軽なグッズを提供する。【解決手段】書類や図面を保護し閲覧する為の合成樹脂製クリアケースに、厚さ０．１ｍｍ前後のステンレス板を挿入し、将棋の駒形に成型し方向指示性をもたせたマグネットピースを添える事で、使用者が定路巡回時等にこれにルートマップ等を挿入し、前述マグネットピースを付着・順進させれば、現在位置と進行方向を一瞥で把握できる様に形成する。【選択図】図１
0003160734.tif 000002
【実用新案登録請求の範囲】
【請求項１】
本案件は、クリアケース・ステンレス板・マグネットピースの３点を組み合わせた、文房具の範疇のものに関する考案を、その範囲にて実用新案として登録せられる事を請求するものである。
【考案の詳細な説明】
【技術分野】
【０００１】  本案件は、クリアケース・ステンレス板・マグネットピースの組み合わせの考案であり文房具の分野に属する。
【考案の概要】
【考案が解決しようとする課題】
【０００２】  車でルート巡回をする仕事等で、運転をしながらマップをチラチラ見なければならない場合がある。一旦マップから目を離すと何処迄行ったか分らなくなる事が多く、方向音痴だと進行方向まで分らなくなる。また、曜日毎にルートが異なり、マップが１０枚２０枚という事もある。瞬時に現在位置と進行方向が把握出来、安価で嵩張らないグッズを提供する事が本考案の課題である。
【課題を解決するための手段】
【０００３】  マップを入れるクリアケースに厚さ０．１ｍｍ前後のステンレス板を備え、透明で将棋の駒型で粒状強力磁石を内蔵したマグネットピースを添える。
【図面の簡単な説明】
【０００４】
【図１】クリアケースにステンレス板を入れマグネットピースを付けた図。
【考案を実施するための形態】
【０００５】  クリアケースには、２枚のＰＥＴ板を貼り合わせただけのものと、２枚のＰＥＴ板の間に空洞を設けたものとの２種類がある。本考案では、ステンレス板１枚とマップ少なくとも２枚を挿入するので後者を用いる。ステンレス板はユーザーが怪我をしない様に角を丸める。マグネットピースに関しては、某文具メーカーからアクリル製の透明・丸型・粒磁石封入のパテント商品がでている。
【図１】
0003160734.tif 000003
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
書類や図面を保護し閲覧する為の合成樹脂製クリアケースに、厚さ０．１ｍｍ前後のステンレス板を挿入し、将棋の駒形に成型し方向指示性をもたせたマグネットピースを添える事で、使用者が定路巡回時等にこれにルートマップ等を挿入し、前述マグネットピースを付着・順進させれば、現在位置と進行方向を一瞥で把握できる様にせられた文房具。
(57)【要約】      （修正有）【課題】未処理液体の流出を防止し、ろ過精度を高め、かつコンパクトに成形されている汚濁液体ろ過分離装置を提供する。【解決手段】円筒形のドラムＡ内にロール状に巻回したフィルター紙Ｆを設置する。ロール状ろ紙の上面に、蓋７とロール状ろ紙の間に、隙間を自動的に調整する押ばね９を用いた周囲に立爪６を設けた押圧蓋５を下向きに設ける。ロール状ろ紙の底面に周囲に立爪２を設け、全面に液通し孔を設けた底板１を配置し、溜タンクからの汚濁液体をポンプＰならびにモーターＭにより循環供給する。【選択図】図１
0003160740.tif 000002
【実用新案登録請求の範囲】
【請求項１】
円筒形のドラムＡ内にロール状に巻回したフィルター紙Ｆを配し、上方から挾雑物、不純物や澱の混じった液体を圧入してフィルターを通して循環ろ過する汚濁液体ろ過装置において、ロール状ろ紙の上面に、蓋（７）とロール状ろ紙の間に、隙間を自動的に調整する押ばね（９）を用いた周囲に立爪（６）を設けた押圧蓋（５）を下向きに設けると共にロール状ろ紙の底面に周囲に立爪（２）を設け、全面に液通し孔（３）を設けた底板（１）を配置し、溜タンクからの汚濁液体をポンプＰならびにモーターＭにより循環供給する汚濁液体ろ過分離装置。
【考案の詳細な説明】
【技術分野】
【０００１】  本考案は木酢液の精製、塗装業における刷毛洗いシンナー、食用揚げ油、ビルの清掃の際に使用する洗浄液や機械加工の際の研削液等の処理液体のろ過分離装置に関する。
【背景技術】
【０００２】  木酢液の精製においては、製造過程での液体に混在するタールがあり、微細粒であるため除去が難しく、高純度のものが出来難い。塗装業における刷毛洗いシンナーにおいては簡単に素早くろ過できない為、再利用せず廃棄処分しているものが多い。食用揚げ油のろ過においても従来の方式では揚げカスと油の分離が完全とは言えず、ビルの清掃においては、床面の洗浄後の液体を回収し持ち帰り、その後工場でろ過し、ゴミや汚れを分離して洗浄液を回収し再利用しており、又機械加工の際の切削油等の場合には、切削屑と切削油の混合液を一旦工場内で集めその後切削油と切削屑とを分離して切削油を再利用している。
【特許文献１】  実用新案登録第３０８６７８６号公報
【考案の開示】
【考案が解決しようとする課題】
【０００３】  しかし、平板ろ紙や漉し網等を使用する従来のろ過分離装置では処理液体が大量で装置も大型となり場所をとり、ろ過精度にも不満があり、又移動を含めての作業時間も長くなるという欠点があった。このため考案者は先にロール型のろ紙を開発してコンパクトなろ過装置を開発した。【０００４】  しかし、このロール型のろ紙を使用したろ過装置は、多量に処理液体が流れた場合や、長時間にわたり使用しロール型ろ紙が収縮、変形した場合にロール紙の外側に溢れてしまい、ゴミや不純物等の汚れがそのまま下方に流れてろ過分離ができないという問題を残している。
【問題を解決するための手段】
【０００５】  考案者はこのような点に鑑み種々試作検討を重ねた結果、本考案に到達したものであって、本考案はロール型ろ紙の上下の押さえ蓋の周縁に立ち上がり爪を形成することによって堰板の役目をし、ろ紙の上面から溢流してくる液体の滴下を止め、かつ、ろ紙の上面の押さえ蓋に押ばねを取付け、長時間の使用によりろ紙が収縮や変形した場合にろ紙と爪の隙間を自動的に調整できるようにし、液体から出るゴミや不純物等の排出を阻止することに成功した。このため装置が小型化され、現場ですぐに処理作業が終了できる。
【考案の効果】
【０００６】  上述のように本考案は、木酢液の精製のおいては、高精度で迅速にタール等の不純物を除去でき、塗装業における刷毛洗い用シンナーは、作業現場でも処理できる。又食用揚げ油のろ過では、長時間の使用に耐え、狭い作業現場でも使用できる。ビル清掃の作業に際しては、その作業階で処理が済み、又機械加工の場合は、加工機の脇で処理作業を行うものであって、処理液の再利用に適し、装置が小型であるため場所をとることなく現場で簡単に作業ができる。したがって従来のろ過分離装置に比較してきわめて便利に利用できるという卓越した作用効果を奏する。
【考案を実施するための最良の形態】
【０００７】  添付図面のより本考案の実施するための形態を説明すると、図１は本考案の自動隙間調整爪付き汚濁液体のろ過分離装置の全体を示す実施例図であり、図２は取り付け前の自動隙間調整ばね付押圧蓋の拡大図である。図３はロール型ろ紙Ｆの下面に設けた底板（１）の詳細図である。また図４は図３に示す底板（１）の断面図を示していて小型であって作業現場その場で処理作業ができる。
【実施例】
【０００８】  図においてＡはろ過分離器であって、円筒型のドラムであり、このドラムの中にロール型のろ紙Ｆが設けられていて、このろ紙Ｆは上方から押圧蓋（５）により押圧され、またこのろ紙（Ｆ）の下端は底板（１）に載置され上下から挾持されている。【０００９】  使用済みの処理液体は図示していないが溜タンクよりモーターＭによって作動するポンプＰを介して送液管（１０）によってろ過分離器Ａの上方から圧入され、ろ紙Ｆによりろ過されて再び送液管（１１）により溜タンクに戻されて処理液として使用される。【００１０】  このろ紙Ｆは紙管Ｆ−１を芯としてロール状に捲回形成されていて、処理液は、このろ紙Ｆによって漉されて下方に排出されて図中の矢印のように作業現場に戻される。【００１１】  本考案のろ過分離装置Ａの使用においては、処理液の温度が高いほど、ろ紙Ｆの漉し率がよく、このため作業中平行して作業に移ることをすすめるが、本装置においてはろ紙Ｆの上面の押圧蓋（５）および底板（１）に立ち上がり爪（２）、（６）を設けることによって液がろ紙Ｆの外側から落下流出することが防止できて液の寿命を保ち、機器自体の清潔も保てる。図中の符号（３）は底板（１）に設けた処理液の通し用の小孔である。【００１２】  また本考案のろ過分離装置Ａに使用するロール状のろ紙Ｆは高さが約１５ｃｍ位のロール型のため装置全体がコンパクトに成形できる。作業現場の近くに置けて場所をとることなく単にろ紙を交換するだけで便利に素早く使用できる。
【産業上の利用可能性】
【００１３】  本考案は木酢液の精製や果汁飲料等の精製、食用揚げ油の揚げカス処理、ビル清掃の洗浄液や旋盤加工の際の研削液、又塗装業における刷毛洗い用シンナー等の処理、或いはクリーニング店での廃液の回収および再生をこの場所で行えるろ過分離装置であり、小型化されているため各種業界において広く利用できる。
【図面の簡単な説明】
【００１４】
【図１】  全体の構成を示す側面図
【図２】  自動隙間調整ばね付押圧蓋の拡大断面図
【図３】  底板の側面図
【図４】  底板の断面図
【符号の説明】
【００１５】  （１）…底板
（２）…底板の立ち上がり爪
（３）…処理液の通し孔
（４）…下方ろ紙支え
（５）…上方押圧蓋
（６）…上方の立ち上がり爪
（７）…蓋
（８）…把手
（９）…自動隙間調整ばね
（１０）…送油管
（１１）…送油管
Ａ…ろ過ドラム
Ｆ…ろ紙
Ｆ−１…ろ紙芯
Ｍ…モーター
Ｐ…ポンプ
【図１】
0003160740.tif 000003
【図２】
0003160740.tif 000004
【図３】
0003160740.tif 000005
【図４】
0003160740.tif 000006
(57)【要約】【課題】本考案は、夜間の照明としての機能と、写真立ての機能と、芳香生成機能の三つの機能を兼ね備えたフォトフレーム付き芳香ランプを提供する。【解決手段】フォトフレーム本体と、ランプユニットとによって構成される。フォトフレーム本体には、写真を取り付けるための開口溝が設けられ、開口溝にはフォトフレームカバーが嵌合され、フォトフレーム本体内には照明空間が設けられ、照明空間の壁面には通気溝孔が設けられ、照明空間の隣接する箇所には通孔を具えた収容室が設けられ、収容室内には芳香効果が生じる精油が取り付けられ、収容室には、収容室を密閉する蓋体が設けられる。また、ランプユニットは、電源と接続されるコンセント部と、ランプとによって構成し、ランプはフォトフレーム本体の照明空間内に配置される。【選択図】図１
0003160701.tif 000002
【実用新案登録請求の範囲】
【請求項１】
フォトフレーム本体と、ランプユニットとによって構成するフォトフレーム付き芳香ランプにおいて、
フォトフレーム本体には、写真を取り付けるための開口溝が設けられ、開口溝にはフォトフレームカバーが嵌合され、フォトフレーム本体内には照明空間が設けられ、照明空間の壁面には通気溝孔が設けられ、照明空間の隣接する箇所には通孔を具えた収容室が設けられ、収容室内には芳香効果が生じる精油が取り付けられ、収容室には、収容室を密閉する蓋体が設けられ、
ランプユニットは、電源と接続されるコンセント部と、ランプとによって構成し、ランプはフォトフレーム本体の照明空間内に配置されることを特徴とするフォトフレーム付き芳香ランプ。
【考案の詳細な説明】
【技術分野】
【０００１】
本考案はフォトフレーム付き芳香ランプに関し、特に、夜間の照明としての機能と、写真立ての機能と、芳香生成機能の三つの機能を兼ね備えたフォトフレーム付き芳香ランプに関する。
【背景技術】
【０００２】
現代の生活では、室内、室外に関わらず、すがすがしい香りをかぐ機会は少ない。このため、市場には芳香作用をもつ様々製品が登場している。これらの製品は、香油を燃やすタイプの芳香ランプ、アロマ霧吹き、コンセント式芳香ランプなど、需要に応じて使い分けられる。しかしながら、これらの製品は、いずれも匂いを変えて気分をよくさせるという効果しかもたない。また、夜間に使用するコンセント式ランプは、主に、他の照明を落とした後に使用されることが多く、ワット数が小さく、消費電力も小さいランプであり、また、その外観も、従来の半円球のランプカバーや、貝殻状、人形、アニメのキャラクターなど、様々な外観の設計がなされており、外観の設計が従来の単調な設計ではなく、照明としての機能以外に装飾効果も有している。本考案者は、上述した装飾機能をもつランプに、空気の品質を改善する芳香効果、或いは写真を置ける機能を組み合わせることができれば、消費者の支持を得られると考える。
【考案の概要】
【考案が解決しようとする課題】
【０００３】
そこで、本考案は、夜間の照明としての機能と、写真立ての機能と、芳香生成機能の三つの機能を兼ね備えたフォトフレーム付き芳香ランプを提供することを目的とする。
【課題を解決するための手段】
【０００４】
本考案によるフォトフレーム付き芳香ランプは、フォトフレーム本体と、ランプユニットとによって構成される。フォトフレーム本体には、写真を取り付けるための開口溝が設けられ、開口溝にはフォトフレームカバーが嵌合され、フォトフレーム本体内には照明空間が設けられ、照明空間の壁面には通気溝孔が設けられ、照明空間の隣接する箇所には通孔を具えた収容室が設けられ、収容室内には芳香効果が生じる精油が取り付けられ、収容室には、収容室を密閉する蓋体が設けられる。また、ランプユニットは、電源と接続されるコンセント部と、ランプとによって構成し、ランプはフォトフレーム本体の照明空間内に配置される。
【図面の簡単な説明】
【０００５】
【図１】本考案の構造を示した分解斜視図である。
【図２】本考案の構造を示した断面図である。
【図３】本考案の使用状態を示した断面図である。
【考案を実施するための形態】
【０００６】
図１は、本考案によるフォトフレーム付き芳香ランプの構造を示した分解斜視図である。フォトフレーム付き芳香ランプは、主に、フォトフレーム本体１と、ランプユニット２とによって構成する。
【０００７】
フォトフレーム本体１には、写真Ａを取り付けるための開口溝１１が設けられ、開口溝１１にはフォトフレームカバー１２が嵌合される。また、フォトフレーム本体１内には照明空間１３が設けられ、照明空間１３の壁面には通気溝孔１４が設けられ、照明空間１３の隣接する箇所には、通孔１５１を具える収容室１５が設けられ、収容室１５内には、芳香効果が生じる精油１６が取り付けられ、収容室１５には、収容室１５を密閉する蓋体１７が設けられる。
【０００８】
ランプユニット２は、電源に接続するコンセント部２１と、ランプ２２とによって構成し、ランプ２２はフォトフレーム本体１の照明空間１３内に収容される。
【０００９】
図２と図３は、本考案によるフォトフレーム付き芳香ランプの断面図である。フォトフレーム付き芳香ランプを使用する際、まず、フォトフレーム本体１の照明空間１３内にランプユニット２を嵌合して、ランプ２２をフォトフレーム本体１の照明空間１３内に収容させる。さらに、フォトフレーム本体１の開口溝１１に写真Ａを取り付けるとともに、フォトフレームカバー１２を嵌合し、フォトフレームを形成させる。その後、フォトフレーム本体１の収容室１５内に芳香効果が生じる精油１６を取り付け、さらに、収容室１５に、収容室１５密閉する蓋体１７を設ける。最後に、ランプユニット２のコンセント部２１を電源と接続すると、ランプ２２は照明効果が生じ、またランプ２２から生じる熱によって、精油１６から香りが生じて照明空間１３内の通気溝孔１４から放出される。従って、本考案によるフォトフレーム付き芳香ランプは、写真を置く機能をもつ以外に、夜間の照明としての機能や芳香機能も有する。
【００１０】
以上から分かるように、本考案によるフォトフレーム付き芳香ランプは以下の利点を有する。
【００１１】
１、本考案によるフォトフレーム付き芳香ランプのフォトフレーム本体内には、照明効果が生じるランプを設けているため、フォトフレーム付き芳香ランプは夜間の照明として使用することができる。
【００１２】
２、本考案は、上述の照明装飾効果をもつ以外に、フォトフレーム本体上には写真を取り付けることができるため、写真立ての機能ももつ。
【００１３】
３、本考案によるフォトフレーム付き芳香ランプは、上述の照明装飾効果をもつ以外に、そのフォトフレーム本体内に芳香効果が生じる精油を設けているため、通気溝孔から香りが放出され、環境空間の空気の品質を改善する効果をもつ。
【符号の説明】
【００１４】
１      フォトフレーム本体
１１    開口溝
１２    フォトフレームカバー
１３    照明空間
１４    通気溝孔
１５    収容室
１５１  通孔
１６    精油
１７    蓋体
２      ランプユニット
２１    コンセント部
２２    ランプ
Ａ      写真
【図１】
0003160701.tif 000003
【図２】
0003160701.tif 000004
【図３】
0003160701.tif 000005
(57)【要約】      （修正有）【課題】五珠を分解する合成計算の理解しやすく色わけしたそろばんで、特に幼児や小学校低学年の子供たちに５の分解や１０の分解をよりよく適した十珠そろばんを提供する。【解決手段】枠体の内側に１列につき１０個の珠を１０列設け、枠の左上端から１列目は１個、２列目は２個、３列目は３個、４列目は４個、５列目は５個を色珠とし、６列目は上から６個目、７列目は上から６個目と７個目、８列目は上から６、７、８個目、９列目は上から６、７、８、９個目、１０列目は上から６〜１０個目を色珠とし、上下５個ずつに分ける梁を入れたことを特徴とする。【選択図】図１
0003160744.tif 000002
【実用新案登録請求の範囲】
【請求項１】
枠体２の内側に１列につき１０個の珠を１０列設け、枠の左上端から１列目は１個、２列目は２個、３列目は３個、４列目は４個、５列目は５個を色珠とし、６列目は上から６個目、７列目は上から６個目と７個目、８列目は上から６、７、８個目、９列目は上から６、７、８、９個目、１０列目は上から６〜１０個目を色珠とし、上下５個ずつに分ける梁を入れたことを特徴とする十珠そろばん。
【請求項２】
梁は、枠の両端に梁を上下する握り手があり、横枠の側面に設けたＬ型切込みにて梁を上下させることで、色珠を梁の上下に５個ずつ分けることが出来る請求項１記載の十珠そろばん
【考案の詳細な説明】
【技術分野】
【０００１】  従来のそろばんは珠が一色であるが、本そろばんは、珠を二色に色分けすることで、数を視覚で捉える事が可能となり、５までの数、１０までの数を理解することが容易である。また、従来のそろばんは、５は五珠が１個しかない。これを理解しやすくしたそろばんである。
【考案が解決しょうとする課題】
【０００２】  従来のそろばんは、５の数字は五珠１個しかなく、視覚で理解することが困難であった。また、従来のそろばんは珠が１色であるので、五珠の合成を理解するのが困難であった。
【考案が解決するための手段】
【０００３】  以上の課題を解決する為に、第一考案は、枠体２の内側に１列につき１０個の珠を１０列設け、枠の左上端から１列目は１個、２列目は２個、３列目は３個、４列目は４個、５列目は５個を色珠とし、６列目は上から６個目、７列目は上から６個目と７個目、８列目は上から６、７、８個目、９列目は上から６、７、８、９個目、１０列目は上から６〜１０個目を色珠とし、上下５個ずつに分ける梁を入れたことを特徴とする十珠そろばんである。
【０００４】  また、第二考案は、上記のそろばんに加え、梁は、枠の両端に梁を上下する握り手があり、横枠の側面に設けたＬ型切込みにて梁を上下させることで、色珠を梁の上下に５個ずつ分けることが出来る十珠そろばんである。
【考案の効果】
【０００５】  １列目の上枠と梁の間に色珠１個違う色珠４個で５になり、２列目は色珠２個と違う色珠３個で５、３列目は色珠３個と違う色珠２個で５、４列目は色珠４個と違う色珠１個で５、５列目は色珠５個で５になることがわかる。
【０００６】  上述のように、５個の３珠が３Ａ珠と３Ｂ色珠とで構成されることで、算数入門期に５の合成を視覚でとらえることができ、理解しやすくなる。
【０００７】  また、４梁を上げることで、５と５に分解することができ、算数教材として使いやすい。
【図面の簡単な説明】
【０００８】
【図１】は本考案の平面図である。
【図２】は横枠の右側面図である。
【図３】は５の分類をした、４梁を入れた状態で示す平面図である。
【図４】は４梁をおろして、数の７と３に分けた状態で示す平面図である。
【考案を実施するための形態】
【０００９】  ５の合成は４梁を入れることで、３Ｂ色一珠１個と色の違う３Ａ一珠４個で５になる。
【００１０】  １０の合成は４梁をおろすことで３Ｂ色一珠を１個と３Ａ一珠９個で１０になる。
【００１１】  ７は、図４の通り３珠を分けることで、７の合成は６通りある。左から順に右に見ると、１と６、２と５、３と４、４と３，５と２、６と１、のように数の合成ができる。
【符号の説明】
【００１２】１、そろばん
２、枠
３、珠
４、梁
５、握り手
６、芯（桁）
７、Ｌ型切込み
【図１】
0003160744.tif 000003
【図２】
0003160744.tif 000004
【図３】
0003160744.tif 000005
【図４】
0003160744.tif 000006
(57)【要約】      （修正有）【課題】円筒形の攪拌装置において、液体同士を連続撹拌する際、循環力を維持したまま撹拌能力を高めた循環式上下軸流撹拌装置を提供する。【解決手段】四角い輪郭を持つ各平面で構成された撹拌槽１の内部に、プロペラ式撹拌翼２を複数個据え付けた撹拌軸３を挿入できる位置に撹拌機４を着脱自在に固設する。プロペラ式撹拌翼２の回転動作により下向きの円柱形態の撹拌軸流５を作り、下向きの円柱形態の撹拌軸流５から剥離した部位に、上向きの循環軸流６を同時に発生させて連続撹拌させる。撹拌軸３の軸受け部７に下向きの円柱形態の撹拌軸流５の太さ分、撹拌軸流の回転方向に放射状に湾曲したパドル８を複数個固設する。【選択図】図４
0003160718.tif 000002
【実用新案登録請求の範囲】
【請求項１】
液体どうしを連続撹拌する撹拌装置において、四角い輪郭を持つ各平面で構成された撹拌槽（１）の内部に、プロペラ式撹拌翼（２）を複数個据え付けた撹拌軸（３）を挿入できる位置に撹拌機（４）を着脱自在に固設し、プロペラ式撹拌翼（２）の回転動作により下向きの円柱形態の軸流（５）を作り、下向きの円柱形態の軸流（５）から剥離した部位に、上向きの軸流（６）を同時に発生させて循環させることを特徴とする循環式上下軸流撹拌装置。
【請求項２】
撹拌槽（１）の内部に、撹拌機（４）の撹拌軸（３）の先端を受ける軸受け部（７）を設け、軸受け部（７）に下向きの円柱形態の軸流（５）の太さ分、軸流の回転方向に放射状に湾曲したパドル（８）を複数個固設することで上下軸流間の循環を補助する循環式上下軸流撹拌装置。
【考案の詳細な説明】
【技術分野】
【０００１】  本考案は、液体どうしを連続撹拌する撹拌装置に関するものである。
【背景技術】
【０００２】  従来、液体どうしを連続撹拌する撹拌装置には円筒形をした撹拌槽が使われてきた。
【考案の開示】
【考案が解決しようとする課題】
【０００３】  そのため次のような問題点があった。
円筒形をした撹拌槽内に乱流の流れを作るために撹拌槽内にじゃま板を設けていたが、液体どうしを撹拌する力は強くなるが、撹拌した液体を槽内において循環させる力が弱くなってしまった。本考案は以上の問題点を解決するためになされたものである。
【課題を解決するための手段】
【０００４】  液体どうしを連続撹拌することを目的とする撹拌装置において、四角い輪郭を持つ各平面で構成された撹拌槽（１）の内部に、プロペラ式撹拌翼（２）を複数個据え付けた撹拌軸（３）を挿入できる位置に撹拌機（４）を着脱自在に固設する。
プロペラ式撹拌翼（２）の回転動作により下向きの円柱形態の撹拌軸流（５）を作り、下向きの円柱形態の撹拌軸流（５）から剥離した部位に、上向きの循環軸流（６）を同時に発生させて連続撹拌させる。
撹拌槽（１）の内部に、撹拌機（４）の撹拌軸（３）の先端を受ける軸受け部（７）を設ける。
軸受け部（７）に下向きの円柱形態の撹拌軸流（５）の太さ分、撹拌軸流の回転方向に放射状に湾曲したパドル（８）を複数個固設することで撹拌軸流と循環軸流間の間の流れを補助する。
【考案の効果】
【０００５】  本考案によれば、撹拌装置において液体どうしを連続撹拌するのに、撹拌力も  循環力も備えた撹拌装置にできる。
【考案を実施するための最良の形態】
【０００６】  以下、本考案を実施するための最良の形態について説明する。
四角い輪郭を持つ各平面で構成された撹拌槽（１）の内部に、プロペラ式撹拌翼（２）を複数個据え付けた撹拌軸（３）を挿入できる位置に、撹拌機（４）を着脱自在に固設する。
撹拌槽（１）の内部に、撹拌機（４）の撹拌軸（３）の先端を受ける軸受け部（７）を設ける。
軸受け部（７）に下向きの円柱形態の軸流（５）の太さ分、軸流の回転方向に放射状に湾曲したパドル（８）を複数個固設する。
本考案は以上のような構造である。
これを使用するときは、プロペラ式撹拌翼（２）の回転動作により下向きの円柱形態の軸流（５）を作り、湾曲したパドル（８）を介して下向きの円柱形態の軸流（５）から剥離した部位に、上向きの軸流（６）を同時に発生させて循環させる。
【図面の簡単な説明】
【０００７】
【図１】  本考案の構成を示す斜視図である。
【図２】  本考案の実施例を示す断面図である。
【図３】  本考案の湾曲したパドルを示す斜視図である。
【図４】  本考案を実施するための最良の形態を示す断面図である。
【符号の説明】
【０００８】  １  撹拌槽
２  プロペラ式撹拌翼
３  撹拌軸
４  撹拌機
５  下向きの円柱形態の軸流
６  上向きの軸流
７  軸受け部
８  湾曲したパドル
【図１】
0003160718.tif 000003
【図２】
0003160718.tif 000004
【図３】
0003160718.tif 000005
【図４】
0003160718.tif 000006
【手続補正書】
【提出日】平成21年6月22日(2009.6.22)
【手続補正１】
【補正対象書類名】実用新案登録請求の範囲
【補正対象項目名】請求項２
【補正方法】変更
【補正の内容】
【請求項２】
撹拌槽（１）の内部に、撹拌機（４）の撹拌軸（３）の先端を受ける軸受け部（７）を設け、軸受け部（７）に下向きの円柱形態の軸流（５）の太さ分、軸流の回転方向に放射状に湾曲したパドル（８）を複数個固設することで上下軸流間の循環を補助することを特徴とする請求項１記載の循環式上下軸流撹拌装置。
(57)【要約】【課題】      従来石を留めるために金やプラチナの本体に爪と石座を使用し石留加工していましたが、本体にその部位も反射してしまう為、輝きを最大限に引き出せ無かった問題を解決しようとするものである。【解決手段】      本体中央部に溝を作り石座の代わりとし、石座の反射を無くし、爪の位置を本体の形状を考慮しそのつけ根に配置する事により宝石の反射の妨げを最小限にした物である。【選択図】図１
0003160719.tif 000002
【実用新案登録請求の範囲】
【請求項１】
本体の中央部に宝石を留める事により、本体形状の特殊な反射及び宝石への輝きを最大限増させる身飾り品（ジュエリー）である。
【考案の詳細な説明】
【技術分野】
【０００１】  本考案は従来の石を上部からセットし、しかも本体に石座を作らずに留加工する事により、本体内側の反射及びその石以外の色の反射を抑えた身飾り品（ジュエリー）である。
【背景技術】
【０００２】  従来石留めをする際に石座を要するが、それを排除し且つ爪の位置を工夫する事により、最善の輝きを出すために開発。
【考案の開示】
【考案が解決しようとする課題】
【０００３】  従来石をセットするために必要な部位を配置する場所、形状、大きさを工夫する事で解決しようとする物である。
【課題を解決するための手段】
【０００４】  本体に石をセットする場合に必要な石座及び爪のパ−ツを、石座に関しては本体中に小さなくぼみを作り石座の代わりとし、爪に関しては本体のつけ根に配置する事により本体への反射を最小限に抑える
【考案の効果】
【０００５】  反射を使った身飾り品でも、石をセットするパ−ツが本来石の反射を妨げてきたが、石の持つ本来の輝き以上の輝きを可能としている。
【考案を実施するための最良の形態】
【０００６】  本体の形状を深い御椀形にし、滑らかで急なミラー状の面を作り、それを花びらのように分割する。中央部には石留めの為の小さな溝を石座の変わりに設け、爪は本体の分割した付け根に配置する事により、本体反射を最小限に抑えている。
【実施例】
【０００７】  以下図面に従って説明します。１、本体の御椀形状の物で、ここに中央に留めた石の輝きが反射し増幅します。  ２、石を留める時に石座として使用するくぼみ  ３、石を留めるための爪。  ４、中央に留められた宝石
【図面の簡単な説明】
【０００８】
【図１】  本考案に関る石の輝きを最大限に生かした身飾り品の上面図の一例。
【図２】  本考案に関る石の輝きを最大限に生かした身飾り品の断面図の一例。
【符号の説明】
【０００９】  １、  本体
２、  石座
３、  爪
４、  宝石
【図１】
0003160719.tif 000003
【図２】
0003160719.tif 000004
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
本体を中央部に留めた石を包み込む様に、花弁の形に作成する事を、特徴とした身飾り品。
(57)【要約】      （修正有）【課題】ペットボトルのキャップを取り外した後に残るリングを簡単に除去できる除去具を提供する。【解決手段】リング切断に特化したはさみを作りペットボトルへのアジャストフォーク１を取り付けた。アジャストフォーク１にはリング切断はさみがリングの位置を決める働きとリングを銜える深さを決める働きを持たせている。アジャストフォーク１は厚さ約１．５ｍｍのスペーサー座金５を介して取り付け、フォークに遊動ピン４を、はさみの軸近くにピン穴６を設けてあり、アジャストフォーク１の先端は約５ｍｍ左右にうごくように取り付けられているのでアジャストフォーク１をペットボトルに添わせるとき刃の先端はアジャストフォーク１の円弧部から退いている。次に、アジャストフォーク１をリングの下にあてがい、はさみを握ることによってリングは簡単に除去できるようにした。【選択図】図２
0003160765.tif 000002
【実用新案登録請求の範囲】
【請求項１】
先端が左右に可動で、刃先に邪魔されずにリングの位置とリングを銜える深さを合わせるアジャストフォーク１を取り付けることにより、切断はさみが正確に残リングを捉え切断できるようにした残リング除去具。
【考案の詳細な説明】
【技術分野】
【０００１】  本考案は、ペットボトルのキャップを取り外した後に残るリングを簡単に除去できるようにしたものである。
【技術背景】
【０００２】  従来、ペットボトルの残リングを一瞬にして取り去る除去具は無かった。
【考案の概要】
【考案が解決しようとする課題】
【０００３】  ペットボトルの使用が増加し、廃ペットボトルの回収も進んでいるが、キャップが残されているため、廃ペットボトルの品質低下が問題となっている。
そこで、キャップを外すことは当然として残っているリングも除去して、廃ペットボトルの品質を向上させ純度の高いポリエチレン・テレフタレートを得ることを目的に簡単な操作でリングの除去を可能にしたものである。
【課題を解決するための手段】
【０００４】  キャップを取り去ったペットボトルの口の部分にキャップ残リング除去具のアジャストフォークを下側にしてあてがうと、はさみ部分の刃は自然に切断するリングに当たる。このときアジャストフォークの円弧部は、はさみの両刃先がリングの手前約３分の１を銜えるように設計してあり、力を加えるとリングは切断され除去される。
【考案の効果】
【０００５】  アジャストフォークを取り付けたことにより、はさみは正確に残リングを捉えることができ切断は瞬時である。
【考案を実施するための形態】
【０００６】  以下、本考案の実施形態について説明する。
（イ）    キャップ残リング除去具本体の支点にあたる穴は柄を握りきっても刃先は噛み合わない位置に設けてあり刃先は鋭い。
（ロ）    刃がリングを深く銜えすぎないようにするために円弧部のあるアジャストフォーク１を厚さ約１，５ｍｍのスペーサー座金５をはさんで取り付けてある。
（ハ）    アジャストフォーク１はこれに取り付けられた遊動ピン４がピン用穴６の中で少し動くようになっているため先端は５ｍｍほど振れる。
【図面の簡単な説明】
【０００７】
【図１】  アジャストフォークとはさみの両刃の作動図である。
【図２】  ペットボトル残リング除去具の分解図である。
【図３】  ペットボトル口部（点線図）とペットボトル残リング除去具の作動部分の関連図である。
【符号の説明】
【０００８】１  アジャストフォーク
２  切断の刃部
３  ボルト
４  遊動ピン
５  スペーサー座金
６  ピン用穴
７  座金
８  ナット
【図１】
0003160765.tif 000003
【図２】
0003160765.tif 000004
【図３】
0003160765.tif 000005
(57)【要約】      （修正有）【課題】ブロワーで草、枯葉を吹き込むことで集草袋に集草できるブロア用集草器を提供する。【解決手段】ブロアー用集草器を草、枯葉の集めやすい所に組立て、集草袋８を取付る。ブロワーでガイド３に沿い集草袋８に向かって草、枯葉を吹き込むことで集草袋８に集積でき、作業効率の向上が図れる。【選択図】図１
0003160770.tif 000002
【実用新案登録請求の範囲】
【請求項１】
ブロワーで草．枯葉を吹込むことで集草袋に集草でき  折たたみ式で簡単に移動できる  ブロアー用集草器
【考案の詳細な説明】
【技術分野】
【０００１】この考案は  散在した草．枯葉等を集めるためのものであり機械工学に関するものである。
【背景技術】
【０００２】従来は剪定．除草後人力で草．枯葉等を集積．袋詰めしていた。
【先行技術文献】
【特許文献】
【０００３】無し
【考案の概要】
【考案が解決しようとする課題】
【０００４】従来剪定．除草後  草．枯葉等をブロワーで吹き集め  人力により集草袋に詰めていたので作業効率が悪い欠点があった。
【課題を解決するための手段】
【０００５】草．枯葉等を集めたい所に本考案ブロアー用集草器を組立て  ブロワーでガイドに沿い集草袋に吹き集める。
【考案の効果】
【０００６】今迄ブロワーで１カ所に集め人力により集草袋に入れていたが  本考案ブロアー用集草器使用によりブロワーで吹き集めるだけで集草袋に入り作業効率の向上が図れる。
【図面の簡単な説明】
【０００７】
【図１】本考案によるブロアー用集草器の側面図
【図２】本考案によるブロアー用集草器の正面図
【図３】本考案によるブロアー用集草器の運搬時の形態
【図４】本考案によるブロアー用集草器の使用形態を示す側面図
【考案を実施するための形態】
【０００８】図１は本考案ブロアー用集草器の使用時の側面図
図２は本考案ブロアー用集草器の使用時の正面図
図３は本考案ブロアー用集草器の運搬時の形態
図４は本考案ブロアー用集草器の使用形態である
【０００９】本考案ブロアー用集草器は  集草袋取付枠１  を中心に集草ガイド３  を左右に丁番５．６  で繋いだものである
【００１０】集草袋取付枠１  は鉄枠で四隅に集草袋取付金具２  を取付  集草ガイド３  は鉄枠でプラスチック板４  を囲い  吹込まれた草．枯葉を集草袋８  に誘導する
【００１１】集草袋取付枠１  と集草ガイド３  は片方を普通丁番５  で留めもう一方は自在丁番６  留めとし移動時折たたみ持ち運びやすいように上部に取手７  を設けた
【実施例】本考案ブロアー用集草器を  草．枯葉の集めやすい所に設置し  集草袋を取付  集草ガイドに向けて  ブロアーで草．枯葉を吹込むことにより集草袋に集める。
【産業上の利用可能性】
【符号の説明】１．集草袋取付枠              ２．集草袋取付金具
３．集草ガイド                ４  プラスチック板
５．普通丁番                  ６．自在丁番
７．取手                      ８．集草袋
９．ブロワー
【図１】
0003160770.tif 000003
【図２】
0003160770.tif 000004
【図３】
0003160770.tif 000005
【図４】
0003160770.tif 000006
(57)【要約】      （修正有）【課題】玄関ドアの開放時に懸念される「押し込み」「進入」等の犯罪行為を意図する来訪者から、身の安全を守り防犯に資する上下分離式防犯玄関ドアを提供する。【解決手段】玄関ドアを上下に二分した構造にして、各々が独立して開閉できることにより、必要に応じ上部部分のドアのみを開き、下部部分のドアは侵入防止柵として機能させる。使用にあたっては、通常（在宅時）は、パッチン錠５で上部ドア１と下部ドア２を連結一体化し、下部ドア２を施錠しておく。部外者の来訪時は、パッチン錠５を解除して、上部ドア１のみを開いて対応する。下部ドア２は侵入防護柵として機能させる。外出，就寝時は、おとし３とパッチン錠５で上下ドアを強固に連結一体化する。【選択図】図１
0003160766.tif 000002
【実用新案登録請求の範囲】
【請求項１】
ドアを上下に分離し、各々が別々に開閉できるようにした玄関ドア
【考案の詳細な説明】
【技術分野】
【０００１】  本考案は、玄関ドアを上下に二分し、各々が別々に開閉できるようにするための玄関ドアに関するものである。
【背景技術】
【０００２】  従来の玄関ドアは一枚の板状のもので、これ全体が開閉される。
【先行技術文献】
【特許文献】
【０００３】
【非特許文献】
【０００４】
【考案の概要】
【考案が解決しようとする課題】
【０００５】  従来の玄関ドアは、「押し込み」等の犯罪意識を有する来訪者に対し安全に対処し得ない。
【課題を解決するための手段】
【０００６】  玄関ドアを上下に二分した構造にして、各々が独立して開閉できることにより、必要に応じ上部部分のドアのみを開き、下部部分のドアは侵入防止柵として機能させる。
【考案の効果】
【０００７】  来訪者に対し、安全な状態で確実な確認が出来るので、「押し込み」等の意図を有する者があっても、これの進入を阻止できる。従って、宅配便等の収受が安心かつ容易である。
また、副次的には、余分な外気の流入も軽減できる。
【図面の簡単な説明】
【０００８】
【図１】本考案の上下分離式玄関ドアの屋内側から見た正面図である。
【図２】上部ドアと下部ドアの重なり部分の側面図である。
【考案を実施するための形態】
【０００９】  ドアは上部ドアと下部ドアに分離し、通常は「おとし」及び「パッチン錠」等の連結具により一体化している。
上部ドアには開け閉め用の「把手」を、下部ドアには鍵付ドアノブを備えている。
【実施例】
【００１０】    以下は、添付図面に従って一実施例を説明する。
通常（在宅時）は、パッチン錠５で上部ドア１と下部ドア２を連結一体化し、下部ドア２を施錠しておく。
部外者の来訪時は、パッチン錠５を解除して、上部ドア１のみを開いて対応する。
下部ドア２は侵入防護柵として機能させる。
外出，就寝時は、おとし３とパッチン錠５で上下ドアを強固に連結一体化する。
【符号の説明】
【００１１】１  上部ドア
２  下部ドア
３  おとし
４  上部ドア把手
５  パッチン錠
６  上部ドアノブ（屋内側）
【図１】
0003160766.tif 000003
【図２】
0003160766.tif 000004
(57)【要約】      （修正有）【課題】他車を傷つけない為の、安価で着脱持ち運びが容易で見た目も良い自動車のドアあて防止具を提供する。【解決手段】コイン型強力磁石を合成ゴム等で包んだ半球形の緩衝具をドアに付ける。磁石で自車を傷つけてしまってはよろしくないので、磁石の被覆を適度に行う。小さな子供が御菓子と間違えて口に入れる事の無い位の大きさと、ユーザーがポケットに入れて持ち歩くのに不都合の無い位の小ささが求められる。直径４ｃｍ位が最適。【選択図】図１
0003160761.tif 000002
【実用新案登録請求の範囲】
【請求項１】
コイン型の強力磁石を合成ゴム等で包んだ直径４ｃｍ位で半球形の、自動車のドアあて防止具。
【考案の詳細な説明】
【技術分野】
【０００１】  本考案は、自動車のドアに付着させて使う、自動車用品の一つに関するものである。
【考案の概要】
【考案が解決しようとする課題】
【０００２】  狭い駐車場等で、自車のドアの角を隣在の他車にぶつけてしまう事は往往にしてある。安価で着脱と持ち運びが容易で見た目も悪く無い、人様の車に傷をつけてしまわない為の自動車のドアあて防止具を提供する事が、本考案が解決しようとする課題である。
【課題を解決するための手段】
【０００３】  コイン型の強力磁石を、水と紫外線に強くポニョポニョとした、合成ゴム等の素材で包んだ半球形の緩衝具を、ドアのあて易い所にくっつけて使う。
【図面の簡単な説明】
【０００４】
【図１】ものを横から見た図と上から見た図。
【考案を実施するための形態】
【０００５】  磁石で自車を傷つけてしまってはよろしくないので、磁石の被覆を適度に行う。
小さな子供が御菓子と間違えて口に入れる事の無い位の大きさと、ユーザーがポケットに入れて持ち歩くのに不都合の無い位の小ささが求められる。直径４ｃｍ位が最適か。
【図１】
0003160761.tif 000003
(57)【要約】      （修正有）【課題】手軽にけんだま遊びができる筒状けんだまを提供する。【解決手段】縁に突起のあるカップ１に、筒状の玉２を振りいれる。【選択図】図１
0003160762.tif 000002
【実用新案登録請求の範囲】
【請求項１】
縁に突起のある筒状のカップと筒状の玉の筒状けんだま
【考案の詳細な説明】
【考案の概要】
【考案が解決しようとする課題】
【０００１】けんだまは細い剣に小さい穴のある玉を入れるので一寸難しくて慣れが必要ですが、これを誰でもできる手軽で優しいけんだま遊びができる様にするものである。
【課題を解決するための手段】
【０００２】筒状のカップの縁にある突起の剣と、筒状の玉により容易に突起の剣に振り入れることが出来る。
【考案の効果】
【０００３】縁にある突起を剣としたカップと筒状の玉によりけんだま遊びが手軽で優しくなる。
【図面の簡単な説明】
【０００４】カップと玉を糸でつないだ斜面図である。
【図１】筒状のカップと筒状の玉のけんだまである。
【符号の説明】
【０００５】筒状のカップと玉の斜面図である。
１  筒状けんだまのカップ
２  筒状けんだまの玉
【図１】
0003160762.tif 000003
(57)【要約】      （修正有）【課題】専用の器具を必要とすることなくどこでもアロマヒーリングを楽しめるように携行を容易としたアロマヒーリングキットを提供する。【解決手段】溶岩などの多孔質岩石を厚さ１０〜２０ｍｍで５０ｍｍ四角のブリック１に切断加工する。色合いの異なるブリック１を適宜組み合わせてキットとする。この中から適宜の数の多孔質岩石のブリックを選択して好みにあわせてレイアウトし、多孔質岩石の小孔に植物を差し込んで装飾品として楽しむ。また、孔に芳香剤を滴下、または、スプレーして芳香剤をブリック１にしみこませると、熱を加えることなく常温で長時間にわたってアロマが放散され、アロマヒーリングを楽しむことができ、脳をリラックスさせることができる。ブリックの組み合わせを変更したり積み上げ状態を変更することが自在であり、飽きることなく楽しむことができる。【選択図】図１
0003160460.tif 000002
【実用新案登録請求の範囲】
【請求項１】
多孔質岩石を直方体に切断加工した複数のブリックからなるアロマヒーリングキット。
【請求項２】
請求項１において、ブリックが溶岩であるアロマヒーリングキット。
【請求項３】
請求項１または２のいずれかにおいて、ブリックは色合いの異なるものを適宜組み合わせたものであるアロマヒーリングキット。
【請求項４】
請求項１〜３のいずれかにおいて、少なくとも1つのブリックの表面に人工的な窪みが形成してあるアロマヒーリングキット。
【請求項５】
請求項１〜４のいずれかにおいて、円柱体や角柱体のブリックを追加して組み合わせたアロマヒーリングキット。
【請求項６】
請求項１〜５のいずれかのキットと、芳香剤を滴下またはスプレーする手段を有する容器とを組み合わせたアロマヒーリングキット。
【考案の詳細な説明】
【技術分野】
【０００１】
本考案は、溶岩などの多孔質岩石を利用してアロマヒーリングを簡単にできるようにするものである。
【背景技術】
【０００２】
従来、アロマヒーリングをおこなうには、専用の道具を必要とし、アルコールランプや蝋燭などの加熱手段を必要としていた。
また、特許文献１にあるように光発生手段を利用したものも提案されている。
【先行技術文献】
【特許文献】
【０００３】
【特許文献１】特開２００８−２７２２７３号公報
【考案の概要】
【考案が解決しようとする課題】
【０００４】
専用の器具を常時携行するのは面倒であり、火や電源を必要とするものである。本考案は、専用の器具を必要とすることなくどこでもアロマヒーリングを楽しめるように携行を容易としたアロマヒーリングキットを提供することを目的とする。
【課題を解決するための手段】
【０００５】
多孔質岩石を直方体に切断加工した複数のブリックと、このブリックに芳香剤を滴下またはスプレーする手段を設けた容器とからなるキットとしたものである。
【考案の効果】
【０００６】
芳香剤が浸透可能な多孔質の溶岩などの岩石から構成されているため、溶岩にアロマオイル、香水等の芳香物質を浸透させるだけで常温でも長時間アロマヒーリングを楽しむことができ、専用器具を必要としないので常時携行可能でありどこでもアロマを楽しむことができる。
更に、多孔質岩石を積み上げて装飾品として楽しむことができる。
この際、溶岩自体の自然な趣との相乗効果によって、リラックスした気分を味わうことができる。
【図面の簡単な説明】
【０００７】
【図１】本考案のキットの一実施形態を示す斜視図。
【図２】本考案のキットに植物を挿した使用状態の斜視図。
【考案を実施するための形態】
【０００８】
以下、本考案を図面の実施例を参照して説明する。
図１は、本考案のアロマヒーリングキットの斜視図であって、ブリック１は、多孔質岩石の溶岩を厚さ１０〜２０ｍｍで４０〜６０ｍｍ四角のブリックに切断加工したものである。この、四角形のブリックに角柱や円柱状の多孔質岩石または他の材質のブリックを組み合わせてもよい。
【０００９】
同色系で統一したり、色合いの異なる溶岩を適宜組み合わせるなどブリック１を適宜組み合わせてキットとする。
使用時は、この中から気分に合わせて溶岩などの多孔質岩石のブリック１を選択して積み木のように積み上げたりすると共に、ブリック１のの小さい孔に植物２を差し込み、装飾品として楽しむことができる。
棒状や円柱状のブリックを立てて、その上に四角形のブリック１を載せて楽しむこともできる。
ブリック１の表面に人工的に窪みを形成することによって水を貯留し、孔に挿した植物に水分を供給することができるようにして、長持ちさせるようにしてある。
また、孔に芳香剤を滴下、またはスプレーして芳香剤を多孔質岩石にしみこませると、熱を加えることなく自然に長時間にわたってアロマが放散され、アロマヒーリングを楽しむこことができ、脳をリラックスさせることができる。
ブリックの組み合わせを変更したり積み上げ状態を変更することが自在であり、飽きることなく楽しむことができる。
【符号の説明】
【００１０】
１    ブリック
２    植物
【図１】
0003160460.tif 000003
【図２】
0003160460.tif 000004